(57)【要約】【課題】送風モードに関わらず臭気を低減する。【解決手段】送風機３の空気吸入口３ａを覆って配置される枠体６に第１空気導入口７と第２空気導入口８とが形成され、第１空気導入口７と第２空気導入口８とを選択的に開閉する切替ドア９，１０とを有するインテーク部２と、空気吸入口３ａに面して配置される光触媒フィルタ４と、光触媒フィルタ４に照射可能に配置された紫外線ランプ５とを備えた車両用空調装置のブロアユニットに、枠体６の空気吸入口３ａと対向する部位に２つの第１空気導入口７が隣合いつつ、第１空気導入口７のそれぞれに第２空気導入口８が隣合って配置され、２つの第１空気導入口７の境界部にシール壁部１３と、シール壁部１３の空気吸入口３ａ側に紫外線ランプ５と、第１空気導入口７と第２空気導入口８との各境界部に沿って配置され、第１空気導入口７閉止状態では、シール壁部１３に当接保持される切替ドア９，１０とを設ける。【選択図】図１
2007314038.tif 000002
【特許請求の範囲】
【請求項１】
空気吸入口（３ａ）を有する送風機（３）と、前記空気吸入口（３ａ）を覆って配置される枠体（６）に第１空気導入口（７）と第２空気導入口（８）とが形成され、これら第１空気導入口（７）と第２空気導入口（８）とを選択的に開閉する切替ドア（９，１０）とを有するインテーク部（２）と、このインテーク部（２）内に空気吸入口（３ａ）に面して配置される光触媒フィルタ（４）と、この光触媒フィルタ（４）に対して照射可能な前記インテーク部（２）の部位に配置された紫外線ランプ（５）とを備えた車両用空調装置のブロアユニットであって、
前記空気吸入口（３ａ）と対向する前記枠体（６）の部位に２つの前記第１空気導入口（７）が隣合いつつ、これら第１空気導入口（７）のそれぞれに第２空気導入口（８）が隣合って配置され、
これら２つの第１空気導入口（７）の境界部にシール壁部（１３）と、
このシール壁部（１３）の空気吸入口（３ａ）側に前記紫外線ランプ（５）と、
前記第１空気導入口（７）と前記第２空気導入口（８）との各境界部に沿って配置され、第１空気導入口（７）閉止状態では、シール壁部（１３）に当接保持される、片持ちドアからなる一対の前記切替ドア（９，１０）とを設けたことを特徴とする車両用空調装置のブロアユニット。
【請求項２】
請求項１に記載の車両用空調装置のブロアユニットであって、
前記紫外線ランプ（５）が、円筒管で構成され、
前記シール壁部（１３）が、前記紫外線ランプ（５）の外周面に沿って半円筒状に湾曲形成されたことを特徴とする車両用空調装置のブロアユニット。
【請求項３】
請求項１、または請求項２に記載の車両用空調装置のブロアユニットであって、
前記シール壁部（１３）の前記空気吸入口（３ａ）側面に鏡面加工が施されたことを特徴とする車両用空調装置のブロアユニット。
【発明の詳細な説明】
【技術分野】
【０００１】
本発明は、自動車などに搭載される車両用空調装置のブロアユニットに係り、吸入した空気中の臭気成分を吸着して光触媒で分解する光触媒フィルタを備えた車両用空調装置のブロアユニットに関する。
【背景技術】
【０００２】
この種の従来技術に関連するものとして、例えば、特許文献１に開示されている「車両用空調装置のブロアユニット」が挙げられる。この従来技術では、図３に示すように、外気導入口１０１、内気導入口１０２、および１枚の片持ち式回転ドアからなる内外気切替ドア１０３を有するインテーク部１０４と、このインテーク部１０４を介して内外気を導入して空調ユニットへ送風する送風機１０５と、これらのインテーク部１０４および送風機１０５間の空気通路に設けられ、臭気成分を吸着して光触媒により分解する光触媒フィルタ１０６と、内外気切替ドア１０３に取付けられ、光触媒の作用を促す紫外線を照射する紫外線ランプ１０７とが備えられている。内気導入時には、図４の実線で示すように内外気切替ドア１０３の回転で外気導入口１０１を閉じて、内気導入口１０２を介して内気を導入するとともに、紫外線ランプ１０３を露出させて照射を行なうことにより、光触媒フィルタ１０６に吸着した臭気成分を光触媒により分解する。一方、外気導入時には、図４の一点鎖線で示すように内外気切替ドア１０３の回転で内気導入口１０２を閉じて、外気導入口１０１を介して外気を導入するとともに、紫外線ランプ１０７を収納部に格納することにより、外気に含まれる埃や油が紫外線ランプ１０７に付着することを防止できる。
【特許文献１】特開２００４−２９１８６４号公報
【発明の開示】
【発明が解決しようとする課題】
【０００３】
しかしながら、上述した従来技術では、外気導入時に内外気切替ドア１０３の回転動作により紫外線ランプ１０７を収納部に格納し、紫外線ランプ１０７による紫外線の照射を行わないので、光触媒の生成が内気導入時のみに限られており光触媒フィルタ１０６に吸着した臭気成分を分解処理する効率が劣るという問題があった。
【０００４】
本発明は、上記のような従来技術を考慮してなされたもので、その目的は、外気に含まれる埃や油が紫外線ランプに付着することを防止できるとともに、光触媒フィルタに吸着した臭気成分の分解効率を向上させることができる車両用空調装置を提供することにある。
【課題を解決するための手段】
【０００５】
上記目的を達成する請求項１の発明は、空気吸入口を有する送風機と、空気吸入口を覆って配置される枠体に第１空気導入口と第２空気導入口とが形成され、これら第１空気導入口と第２空気導入口とを選択的に開閉する切替ドアとを有するインテーク部と、インテーク部内に空気吸入口に面して配置される光触媒フィルタと、この光触媒フィルタに対して照射可能な前記インテーク部の部位に配置された紫外線ランプとを備えた車両用空調装置のブロアユニットであって、前記空気吸入口と対向する前記枠体の部位に２つの前記第１空気導入口が隣合いつつ、これら第１空気導入口のそれぞれに第２空気導入口が隣合って配置され、これら２つの第１空気導入口の境界部にシール壁部と、このシール壁部の空気吸入口側に前記紫外線ランプと、前記第１空気導入口と前記第２空気導入口との各境界部に沿って配置され、第１空気導入口閉止状態では、シール壁部に当接保持される、片持ちドアからなる一対の前記切替ドアとを設けたことを特徴とする。
【０００６】
請求項２の発明は、請求項１に記載の車両用空調装置のブロアユニットであって、前記紫外線ランプが、円筒管で構成され、前記シール壁部が、前記紫外線ランプの外周面に沿って半円筒状に湾曲形成されたことを特徴とする。
【０００７】
請求項３の発明は、請求項１、または請求項２に記載の車両用空調装置のブロアユニットであって、前記シール壁部の前記空気吸入口側面に鏡面加工が施されたことを特徴とする。
【発明の効果】
【０００８】
請求項１の発明によれば、第２空気導入口から空気を導入する際には一対の切替ドアが回転して各先端が、第１空気導入口の中央部に設けられるシール壁部に当接することにより、枠体上部の第１空気導入口が閉じて、この状態で送風機の作動により枠体側部の第２空気導入口から空気が導入される。このとき、シール壁部の直下に設けた紫外線ランプにより光触媒フィルタへ紫外線を照射することにより、光触媒の作用を促して光触媒フィルタに吸着した臭気成分を分解する。一方、第１空気導入口から空気を導入する際には一対の切替ドアが回転して枠体側部の第２空気導入口が閉じて、枠体上部の第１空気導入口から空気が導入される。このとき、第２空気導入口から空気を導入する場合と同様に、シール壁部の直下に設けた紫外線ランプにより光触媒フィルタへ紫外線を照射することによって、光触媒の作用を促して光触媒フィルタに吸着した臭気成分を分解する。そして、シール壁部の直下に紫外線ランプが設けられており、すなわち紫外線ランプの上部がシール壁部で覆われているので、枠体上部の第１空気導入口から導入した空気が流下する際に直接、紫外線ランプに当たることを抑制できる。これにより、第１空気導入口、第２空気導入口のいずれからでも導入した空気に含まれる埃や油が紫外線ランプに付着することを防止できるとともに、光触媒フィルタに吸着した臭気成分の分解効率を向上させることができる。
【０００９】
請求項２の発明によれば、シール壁部が紫外線ランプの外周面に沿って湾曲して、紫外線ランプの上部および側部がシール壁部で覆われているので、枠体上部の第１空気導入口から導入した空気が流下する際に直接、紫外線ランプに当たることをさらに抑制できるとともに、紫外線ランプの外周面に沿って湾曲したシール壁部の下面で、紫外線ランプからの紫外線を反射する効率を高めることができる。
【００１０】
請求項３の発明によれば、鏡面加工を施したシール壁部の下面で紫外線ランプからの紫外線を反射する効率をより高めることができる。
【発明を実施するための最良の形態】
【００１１】
以下、本発明の実施形態を図面に基づいて説明する。図１は本発明の一実施形態に係る車両用空調装置のブロアユニットを示す断面図、図２は本実施形態に設けられるインテーク部の斜視図である。
【００１２】
図１に示す車両用空調装置のブロアユニット１は、図中上部のインテーク部２と、このインテーク部２から内外気を空気吸入口３ａを介して内部に導入する送風機３と、これらのインテーク部２および送風機３間の空気通路に空気吸入口３ａに面して設けられる光触媒フィルタ４と、この光触媒フィルタ４を照射する紫外線ランプ５とを備え、インテーク部２を介して内外気を取入れて図示しない空調ユニットに送風し、空調風を車室内へ供給するようになっている。
【００１３】
インテーク部２には、枠体６の上部に形成される第１空気導入口としての外気導入口７と、枠体６の側部に形成される第２空気導入口としての内気導入口８と、一対の片持ち式回転ドアからなり内外気切替を行なう切替ドアとしての内外気切替ドア９，１０とを備えている。
【００１４】
つまり、空気吸入口３ａと対向する枠体６の部位に２つの外気導入口７がシール壁部１３を挟んで隣合って配置されているとともに、外気導入口７のそれぞれに内気導入口８が隣合って配置されている。また内外気切替ドア９，１０は、片持ちドアからなり、外気導入口７と内気導入口８との各境界部に沿って配置され、互いに平行な回転軸１１，１２を中心としてそれぞれ回転し、外気導入口７閉止状態では、先端部がシール壁部１３に当接保持される。
【００１５】
シール壁部１３は、紫外線ランプ５の外周面に沿って半円筒形状に湾曲しており、シール壁部１３の下面に鏡面加工が施されている。紫外線ランプ５は、シール壁部１３の図中下面に沿って延びる円筒管から構成されるとともに、シール壁部１３の直下、つまり空気吸入口３ａ側に配設され、紫外線ランプ５の上部および側部がシール壁部１３で覆われている。なお、内外気切替ドア９，１０の先端は、それぞれシール壁部１３の両側端に当接可能であり、内外気切替ドア９，１０間のデッドスペースに、紫外線ランプ５が配置されている。
【００１６】
この実施形態にあっては、内気導入時に図１の実線で示すように一対の内外気切替ドア９，１０が回転軸１１，１２を中心として回転して、各先端が外気導入口７の中央部に設けられるシール壁部１３に当接することにより外気導入口７が閉じ、この状態で送風機３の作動により枠体６側部の内気導入口８から内気を導入する。このとき、シール壁部１３の直下に設けた紫外線ランプ５により光触媒フィルタ４へ紫外線を照射することにより、光触媒の作用を促して光触媒フィルタ４に吸着した臭気成分を分解する。一方、外気導入時に図１の破線で示すように一対の内外気切替ドア９，１０が回転して枠体６側部の内気導入口８を閉じ、枠体６上部の外気導入口７から外気を導入する。このとき、内気導入時の場合と同様に、紫外線ランプ５で光触媒フィルタ４へ紫外線を照射することにより光触媒の作用を促して光触媒フィルタ４に吸着した臭気成分を分解する。そして、紫外線ランプ５がシール壁部１３の直下に位置しており、紫外線ランプ５の上部および側部がシール壁部１３で覆われているので、枠体６上部の外気導入口７から導入された外気が流下する際に直接、紫外線ランプ５に当たることを抑制できる。
【００１７】
このように構成した本実施形態では、外気に含まれる埃や油が紫外線ランプ５に付着することを防止できるとともに、外気導入時にも紫外線ランプ５により紫外線を照射することにより光触媒の作用を促すので、光触媒フィルタ４に吸着した臭気成分の分解効率を向上させることができる。
【００１８】
また、本実施形態では、シール壁部１３が紫外線ランプ５の外周面に沿って湾曲するとともに下面に鏡面加工が施されているため、紫外線ランプ５からの紫外線をシール壁部１３で反射する効率を高めることができ、光触媒フィルタ４に吸着した臭気成分の分解効率をさらに向上させることができる。
【図面の簡単な説明】
【００１９】
【図１】本発明の一実施形態に係る車両用空調装置のブロアユニットを示す断面図である。
【図２】本実施形態に設けられるインテーク部の斜視図である。
【図３】従来のブロアユニットを備えた車両用空調装置のブロック図である。
【図４】図３のブロアユニットの要部を拡大して示す図である。
【図５】図３のブロアユニットに設けられる内外気切替ドアの斜視図である。
【符号の説明】
【００２０】
１  ブロアユニット
２  インテーク部
３  送風機
３ａ  空気吸入口
４  光触媒フィルタ
５  紫外線ランプ
６  枠体
７  外気導入口（第１空気導入口）
８  内気導入口（第２空気導入口）
９，１０  内外気切替ドア（切替ドア）
１１，１２  回転軸
１３  シール壁部
【図１】
2007314038.tif 000003
【図２】
2007314038.tif 000004
【図３】
2007314038.tif 000005
【図４】
2007314038.tif 000006
【図５】
2007314038.tif 000007